(57)【要約】【課題】横辷り出し窓を作業性良く位置決めをできるようにした横辷り出し窓の位置決め治具を提供する。【解決手段】横辷り出し窓の位置決め治具は、建築物の開口部に設置される枠体内にステーを介して障子が開閉可能に設けられた横辷り出し窓で、ステーを枠体の縦枠１３に固定する際に使用され、縦枠１３に取り付けられる横辷り出し窓の位置決め治具であって、縦枠１３に固定されるステー３０の下端部に対応する高さに取り付けられる下部位置決め治具５０を備え、下部位置決め治具５０は、ステー３０の下端部を支持する下部支持部５１と、ステー３０の屋内外方向の少なくとも一方への移動を規制する下部規制部５４ａ，５４ｂと、を有することを特徴とする。【選択図】図４
2019167718.tif 000002
【特許請求の範囲】
【請求項１】
建築物の開口部に設置される枠体内にステーを介して障子が開閉可能に設けられた横辷り出し窓で、前記ステーを前記枠体の縦枠に固定する際に使用され、前記縦枠に取り付けられる横辷り出し窓の位置決め治具であって、
前記縦枠に固定される前記ステーの下端部に対応する高さに取り付けられる下部位置決め治具を備え、
該下部位置決め治具は、
前記ステーの下端部を支持する下部支持部と、
前記ステーの屋内外方向の少なくとも一方への移動を規制する下部規制部と、を有することを特徴とする横辷り出し窓の位置決め治具。
【請求項２】
前記下部位置決め治具は、
前記縦枠から前記障子側に離間して配置され、前記ステーの前記障子側への移動を規制する下部挿入部を有し、
前記縦枠と前記下部挿入部との間に形成された空間には、前記ステーの下端部が挿入可能とされている請求項１に記載の横辷り出し窓の位置決め治具。
【請求項３】
前記下部支持部は、前記ステーの下端部に点接触可能に構成されている請求項１または２に記載の横辷り出し窓の位置決め治具。
【請求項４】
前記縦枠に固定される前記ステーの上部に対応する高さに取り付けられる上部位置決め治具を備え、
該上部位置決め治具は、
前記ステーの屋内外方向の少なくとも一方への移動を規制する上部規制部を有する請求項１から３のいずれか一項に記載の横辷り出し窓の位置決め治具。
【発明の詳細な説明】
【技術分野】
【０００１】
本発明は、横辷り出し窓の位置決め治具に関するものである。
【背景技術】
【０００２】
従来から、建築物の開口部に設置される建具として、横辷り出し窓が知られている。例えば、障子の左右両端部が縦枠にリンク機構を介して連結され、障子の下部が上部よりも大きく屋外側に開くように構成されたものがある（例えば、下記の特許文献１参照）。
【先行技術文献】
【特許文献】
【０００３】
【特許文献１】特開２０１７−３１６９８号公報
【発明の概要】
【発明が解決しようとする課題】
【０００４】
ところで、開口部に取り付けられた枠体に障子を設置する際には、障子に取り付けられたリンク機構を枠体の縦枠の所定の位置に螺子で固定している。設置作業の際には、作業者は障子を支持しながら所定の位置に位置決めし、その位置を保持しつつ螺子止め作業を行わなくてはならないため、作業をすることが難しく、作業性が悪いという問題点がある。
【０００５】
そこで、本発明は、上記事情に鑑みてなされたものであり、横辷り出し窓を作業性良く位置決めをできるようにした横辷り出し窓の位置決め治具を提供する。
【課題を解決するための手段】
【０００６】
上記目的を達成するために、本発明は以下の手段を採用している。
すなわち、本発明に係る横辷り出し窓の位置決め治具は、建築物の開口部に設置される枠体内にステーを介して障子が開閉可能に設けられた横辷り出し窓で、前記ステーを前記枠体の縦枠に固定する際に使用され、前記縦枠に取り付けられる横辷り出し窓の位置決め治具であって、前記縦枠に固定される前記ステーの下端部に対応する高さに取り付けられる下部位置決め治具を備え、該下部位置決め治具は、前記ステーの下端部を支持する下部支持部と、前記ステーの屋内外方向の少なくとも一方への移動を規制する下部規制部と、を有することを特徴とする。
【０００７】
このように構成された横辷り出し窓の位置決め治具では、障子に取り付けられたステーを枠体の縦枠に取り付ける際には、ステーの下端部を下部位置決め治具の下部支持部に支持させて、障子の自重を下部位置決め治具に支持させる。また、下部位置決め治具の下部規制部はステーの屋内外方向の少なくとも一方への移動を規制するため、ステーの屋内外方向の少なくとも一方の位置決めがされる。よって、下部位置決め治具を使用すれば、障子の自重は下部支持部に支持され、屋内外方向の少なくとも一方の位置は下部規制部で決まるため、作業性が良い。
【０００８】
また、本発明に係る横辷り出し窓の位置決め治具では、前記下部位置決め治具は、前記縦枠から前記障子側に離間して配置され、前記ステーの前記障子側への移動を規制する下部挿入部を有し、前記縦枠と前記下部挿入部との間に形成された空間には、前記ステーの下端部が挿入可能とされていることが好ましい。
【０００９】
このように構成された横辷り出し窓の位置決め治具では、縦枠と下部挿入部との間に形成された空間にステーの下端部を挿入することで、ステーは縦枠と下部挿入部との間で障子側への移動が規制され、ステーの障子側への傾倒が抑制される。
【００１０】
また、本発明に係る横辷り出し窓の位置決め治具では、前記下部支持部は、前記ステーの下端部に点接触可能に構成されていてもよい。
【００１１】
このように構成された横辷り出し窓の位置決め治具では、下部支持部はステーの下端部に点接触可能に構成されているため、ステーの下端部と下部支持部との接触箇所を中心にステーを回転させることができる。よって、ステーの位置決めがしやすく、作業性がさらに向上する。
【００１２】
また、本発明に係る横辷り出し窓の位置決め治具は、前記縦枠に固定される前記ステーの上部に対応する高さに取り付けられる上部位置決め治具を備え、該上部位置決め治具は、前記ステーの屋内外方向の少なくとも一方への移動を規制していてもよい。
【００１３】
このように構成された横辷り出し窓の位置決め治具では、上部位置決め治具の上部規制部はステーの屋内外方向の少なくとも一方への移動を規制するため、ステーの上部においてもステーの屋内外方向の少なくとも一方の位置決めがされ、作業性がさらに向上する。
【発明の効果】
【００１４】
本発明に係る横辷り出し窓の位置決め治具によれば、横辷り出し窓を作業性良く位置決めをできる。
【図面の簡単な説明】
【００１５】
【図１】本発明の一実施形態に係る横辷り出し窓の位置決め治具が設置される横辷り出し窓を屋内側から見た斜視図である。
【図２】本発明の一実施形態に係る横辷り出し窓の位置決め治具が設置される横辷り出し窓のステーの構成を示す図であり、障子が閉じた状態を示している。
【図３】本発明の一実施形態に係る横辷り出し窓の位置決め治具が設置される横辷り出し窓のステーの構成を示す図であり、障子が開いた状態を示している。
【図４】本発明の一実施形態に係る横辷り出し窓の位置決め治具の下部位置決め治具を示す図である。
【図５】図４のＡ−Ａ線断面図である。
【図６】図４のＢ−Ｂ線断面図である。
【図７】本発明の一実施形態に係る横辷り出し窓の位置決め治具の上部位置決め治具を示す図である。
【図８】図７のＣ−Ｃ線断面図である。
【図９】本発明の一実施形態の変形例に係る横辷り出し窓の位置決め治具の下部位置決め治具を示す図である。
【図１０】図９のＤ−Ｄ線断面図である。
【図１１】図９のＥ−Ｅ線断面図である。
【図１２】本発明の一実施形態の変形例に係る横辷り出し窓の位置決め治具の上部位置決め治具を示す図である。
【図１３】図１２のＦ−Ｆ線断面図である。
【発明を実施するための形態】
【００１６】
以下、本発明の一実施形態に係る横辷り出し窓の位置決め治具が設置される横辷り出し窓について、図１から図８に基づいて説明する。
図１は、本発明の一実施形態に係る横辷り出し窓の位置決め治具が設置される横辷り出し窓を屋内側から見た斜視図である。
図１に示すように、横辷り出し窓１００は、建築物の開口部Ｗに設けられ、四角形枠状に形成された枠体１と、枠体１に開閉可能に設けられた障子２と、を備えている。
なお、以下の説明において、屋外側と屋内側とを結ぶ方向を屋内外方向と称する。また、開口部Ｗが壁部を貫通する方向（壁部に対向する方向）から見た際の左側と右側を結ぶ水平方向を左右方向と称する。
【００１７】
枠体１は、左右方向に延在する上枠１１及び下枠１２と、上枠１１の両端部と下枠１２の両端部とをそれぞれ連結し上下方向に延在する縦枠１３と、を有している。
【００１８】
障子２は、四角形状に形成された框体２０と、框体２０内に嵌め込まれたガラス２９と、を有している。
【００１９】
框体２０は、左右方向に延在する上框２１及び下框２２と、上框２１の両端部と下框２２の両端部とをそれぞれ連結し上下方向に延在する縦框２３と、を有している。下框２２には、障子２の開閉操作を行うレバー２５が設けられている。また、下框２２及び下枠１２には、レバー２５の操作に伴って、障子２をロック及びロック解除可能な施錠装置（不図示）が設けられている。
【００２０】
図２は、ステー３０の構成を示す図であり、障子２が閉じた状態を示している。図３は、ステー３０の構成を示す図であり、障子２が開いた態を示している。図２及び図３は、一方の縦枠１３側を左右方向の中央側から見た図であり、障子２を二点鎖線で示している。
図２及び図３に示すように、障子２は、開いた際には、下方に向かうにしたがって次第に枠体１から離間して屋外側に向かうように傾斜した姿勢となる。
【００２１】
縦枠１３と障子２とは、ステー３０及び支持ブラケット４０により連結されている。ステー３０及び支持ブラケット４０は、左右方向の両側にそれぞれ設けられている。縦枠１３には、ステー３０の下端部及び上部に、それぞれ下部位置決め治具５０及び上部位置決め治具６０が取り付けられている。下部位置決め治具５０及び上部位置決め治具６０は、障子２を枠体１に設置する際に使用するものである。なお、下部位置決め治具５０及び上部位置決め治具６０は、障子２の設置後に取り除いてもよい。
【００２２】
図４は、下部位置決め治具５０を示す図であり、障子２側から縦枠１３側を見た一部を示した図である。図５は、図４のＡ−Ａ線断面図である。図６は、図４のＢ−Ｂ線断面図である。
まず、ステー３０、支持ブラケット４０、下部位置決め治具５０及び上部位置決め治具６０が取り付けられる縦枠１３の構成について説明する。
【００２３】
図５に示すように、縦枠１３は、屋内外方向に沿って配置される見込み板部１４を有している。見込み板部１４には、障子２の縦框２３（図１参照。以下同じ。）側（左右方向の中央側）に突出する一対の突出壁部１５が設けられている。見込み板部１４及び突出壁部１５は、縦枠１３の延在する上下方向にわたって形成されている。
【００２４】
一対の突出壁部１５は、屋内外方向に離間して配置されている。突出壁部１５の先端部には、屋内側に向かって延びる係止片１６が設けられている。
【００２５】
見込み板部１４では、左右方向の中央側（縦框２３側）を向く面１４ａに沿って、取付部材１３０が設けられている。取付部材１３０は、縦枠１３の延在する上下方向にわたって設けられている。
【００２６】
図４から図６に示すように、取付部材１３０は、取付板部１３１と、第一折曲壁部１３２と、第二折曲壁部１３３と、第三折曲壁部１３４と、係止壁部１３５と、延出壁部１３６と、を有している。
【００２７】
取付板部１３１は、縦枠１３の見込み板部１４よりも左右方向の中央側（縦框２３側）に配置されている。取付板部１３１は、板状に形成されている。取付板部１３１は、板厚方向を左右方向に向けて配置されている。
【００２８】
第一折曲壁部１３２は、取付板部１３１の屋内外方向の両端部から、それぞれ左右方向の端部側（縦枠１３の見込み板部１４に近接する側）に延びている。第一折曲壁部１３２は、板状に形成されている。第一折曲壁部１３２は、板厚方向を屋内外方向に向けて配置されている。
【００２９】
第二折曲壁部１３３は、各第一折曲壁部１３２における縦枠１３の見込み板部１４に近接する側の端部から、それぞれ屋内側に延びている。第二折曲壁部１３３は、板状に形成されている。第二折曲壁部１３３は、板厚方向を左右方向に向けて配置されている。
【００３０】
第三折曲壁部１３４は、各第二折曲壁部１３３の屋内側の端部から、それぞれ左右方向の端部側に延びている。第三折曲壁部１３４は、板状に形成されている。第三折曲壁部１３４は、板厚方向を屋内外方向に向けて配置されている。
【００３１】
係止壁部１３５は、各第三折曲壁部１３４における縦枠１３の見込み板部１４に近接する側の端部から、それぞれ屋外側に延びている。係止壁部１３５は、板状に形成されている。係止壁部１３５は、板厚方向を左右方向に向けて配置されている。係止壁部１３５は、縦枠１３の見込み板部１４と係止片１６との間に係止されている。
【００３２】
延出壁部１３６は、屋内側に配置された係止壁部１３５における縦枠１３の見込み板部１４に近接する側の端部から、屋内側に延びている。延出壁部１３６は、板状に形成されている。延出壁部１３６は、板厚方向を左右方向に向けて配置されている。
【００３３】
次に、ステー３０の構成について説明する。
図２及び図３に示すように、ステー３０は、縦枠１３の上部と障子２の縦框２３の上部とを連結している。ステー３０は、リンクベース３１と、第一リンクアーム３２と、第二リンクアーム３３と、第三リンクアーム３４と、を有している。
【００３４】
リンクベース３１は、縦枠１３に設けられた取付部材１３０の上部で、縦框２３側（左右方向の中央側）を向く面に設けられている。図６に示すように、リンクベース３１の下部には、左右方向に貫通する貫通孔３１ｈが形成されている。螺子３１ｚが貫通孔３１ｈに挿通され、縦枠１３に設けられた取付部材１３０の取付板部１３１にねじ込まれている。リンクベース３１の上部も、同様に螺子３１ｚで取付板部１３１に固定されている（図７参照）。
【００３５】
図２及び図３に示すように、第一リンクアーム３２の下端部は、リンクベース３１の上部に、左右方向を向く第一上部リンク軸３６を中心として回動可能に連結されている。
【００３６】
第一リンクアーム３２の上端部は、第二リンクアーム３３の上端部に、左右方向を向く第二上部リンク軸３７を中心として回動可能に連結されている。
【００３７】
第二リンクアーム３３は、縦框２３の上部で、縦枠１３側（左右方向の端部側）を向く面に設けられている。第二リンクアーム３３は、縦框２３に螺子３３ｚで複数箇所に螺子止めされている。
【００３８】
第二リンクアーム３３の下部は、第三リンクアーム３４の上端部に、左右方向を向く第三上部リンク軸３８を中心として回動可能に連結されている。
【００３９】
第三リンクアーム３４の下端部は、リンクベース３１の下部に、左右方向を向く第四上部リンク軸３９を中心として回動可能に連結されている。
【００４０】
次に、支持ブラケット４０の構成について説明する。
支持ブラケット４０は、縦枠１３の下部と縦框２３の下部とを連結している。支持ブラケット４０は、枠ベース４１と、框ベース４２と、第一支持アーム４３と、第二支持アーム４４と、を有している。
【００４１】
枠ベース４１は、縦枠１３に設けられた取付部材１３０の取付板部１３１に設けられている。枠ベース４１は、取付板部１３１に螺子４１ｚで複数箇所に螺子止めされている。
【００４２】
框ベース４２は、縦框２３の下部に、縦枠１３側を向く面に設けられている。框ベース４２は、縦框２３に螺子４２ｚで複数箇所に螺子止めされている。
【００４３】
第一支持アーム４３の下端部は、枠ベース４１に、左右方向を向く第一下部リンク軸４６を中心として回動可能に連結されている。
【００４４】
第一支持アーム４３の上端部は、第二支持アーム４４の上端部に、左右方向を向く第二下部リンク軸４７を中心として回動可能に連結されている。
【００４５】
第二支持アーム４４の下端部は、框ベース４２に、左右方向を向く第三下部リンク軸４８を中心として回動可能に連結されている。
【００４６】
次に、下部位置決め治具５０の構成について説明する。
図４から図６に示すように、下部位置決め治具５０は、取付部（下部支持部）５１と、張出し部５２ａ，５２ｂと、挿入部（下部挿入部）５３ａ，５３ｂと、折曲部（下部規制部）５４ａ，５４ｂと、を有している。下部位置決め治具５０は、縦枠１３の取付部材１３０において、ステー３０の下端部に対応する高さに取り付けられている。
【００４７】
取付部５１は、縦枠１３の取付部材１３０の取付板部１３１における縦框２３側を向く面に沿って配置されている。取付部５１は、板状に形成されている。取付部５１は、板厚方向を左右方向に向けて配置されている。
【００４８】
取付部５１には、板厚方向に貫通する取付孔５１ｈが形成されている。取付孔５１ｈに挿通された螺子５１ｚは、取付部材１３０の取付板部１３１にねじ込まれている。
【００４９】
張出し部５２ａは、取付部５１の屋内側の端部に設けられている。張出し部５２ａは、屋内側に向かうにしたがって次第に左右方向の中央側に向かうように形成されている。張出し部５２ｂは、取付部５１の屋外側の端部に設けられている。張出し部５２ｂは、屋外側に向かうにしたがって次第に左右方向の中央側に向かうように形成されている。
【００５０】
挿入部５３ａは、張出し部５２ａの屋内側の端部から屋内側に延びている。挿入部５３ｂは、張出し部５２ｂの屋外側の端部から屋外側に延びている。挿入部５３ａ，５３ｂは、板状に形成されている。挿入部５３ａ，５３ｂは、板厚方向を左右方向に向けて配置されている。
【００５１】
挿入部５３ａ，５３ｂは、取付部材１３０の取付板部１３１よりも左右方向の中央側に配置されている。換言すると、取付板部１３１の左右方向の中央側（縦框２３側）を向く面１３１ａと挿入部５３ａ，５３ｂとの間には、左右方向に空間が形成されている。
【００５２】
折曲部５４ａは、挿入部５３ａの屋内側の端部から左右方向の端部側に延びている。折曲部５４ｂは、挿入部５３ｂの屋外側の端部から左右方向の端部側に延びている。折曲部５４ａ，５４ｂは、板状に形成されている。折曲部５４ａ，５４ｂは、板厚方向を屋内外方向に向けて配置されている。
【００５３】
図４及び図５に示すように、ステー３０のリンクベース３１の下端部は、下部位置決め治具５０の挿入部５３ａ，５３ｂと取付板部１３１の面１３１ａとの間の空間に挿入されている。空間の左右方向の間隔は、リンクベース３１の下端部の板厚（左右方向の厚み）よりも僅かに大きい程度である。このため、リンクベース３１の下端部は、空間内で左右方向への移動が規制されている。
【００５４】
また、挿入部５３ａ，５３ｂと取付板部１３１の面１３１ａとの間の空間の屋内外両側には、下部位置決め治具５０の折曲部５４ａ，５４ｂが配置されている。このため、リンクベース３１の下端部は、屋内外方向への移動が規制されている。
【００５５】
また、図４に示すように、リンクベース３１の最下端部３１ｂは、取付部５１の上面５１ｕに支持（載置）されている。リンクベース３１の最下端部３１ｂは、円弧状をなしている。取付部５１の上面５１ｕは、水平面に沿う平面状に形成されている。これにより、リンクベース３１の最下端部３１ｂは、取付部５１の上面５１ｕに点接触している。
【００５６】
次に、上部位置決め治具６０の構成について説明する。
図７は、上部位置決め治具６０を示す図であり、障子２側から縦枠１３側を見た一部を示した図である。図８は、図７のＣ−Ｃ線断面図である。なお、図７において、第一リンクアーム３２の図示を省略している。
図７及び図８に示すように、上部位置決め治具６０は、裏板部６１と、傾斜係止部（上部規制部）６２と、裏突出部６３と、を有している。上部位置決め治具６０は、縦枠１３の取付部材１３０において、ステー３０の上部に対応する高さに取り付けられている。
【００５７】
図８に示すように、裏板部６１は、縦枠１３の取付部材１３０の取付板部１３１における左右方向の端部側（縦框２３と反対側）を向く面に沿って配置されている。裏板部６１は、板状に形成されている。裏板部６１は、板厚方向を左右方向に向けて配置されている。
【００５８】
図７に示すように、裏板部６１には、板厚方向に貫通する取付孔６１ｈが形成されている。取付孔６１ｈには、左右方向の端部側から螺子（不図示）が挿通され、取付部材１３０の取付板部１３１にねじ込まれている。
【００５９】
図８に示すように、取付部材１３０の第一折曲壁部１３２に屋内外方向に貫通する挿通孔１３２ｈが形成されている。裏板部６１の屋外側の端部は、挿通孔１３２ｈに挿通されている。
【００６０】
傾斜係止部６２は、裏板部６１の屋外側の端部に設けられている。傾斜係止部６２は、屋内側に向かうにしたがって次第に左右方向の中央側に向かうように形成されている。傾斜係止部６２は、左右方向に弾性変形可能とされている。
【００６１】
裏突出部６３は、裏板部６１から左右方向の端部側に延びるように形成されている。裏突出部６３は、取付部材１３０の第三折曲壁部１３４の屋内側に当接配置されている。
【００６２】
ステー３０のリンクベース３１の上部の屋外側の端部は、傾斜係止部６２と取付部材１３０の取付板部１３１との間に挟み込まれている。このため、リンクベース３１の上部は、左右方向への移動が規制されている。
【００６３】
また、ステー３０のリンクベース３１の上部の屋外側の端部は、傾斜係止部６２に当接している。このため、リンクベース３１の上部は、屋外側への移動が規制されている。
【００６４】
次に、障子２の開閉時の動作について説明する。
図２に示す障子２が閉じた状態から、操作者が障子２の下端部に設けられたレバー２５（図１参照。以下同じ。）を持って屋外側に押す。図３に示すように、ステー３０では、第一リンクアーム３２は、上端部に設けられた第二上部リンク軸３７及び下端部に設けられた第一上部リンク軸３６を中心に回動する。また、第三リンクアーム３４は、上端部に設けられた第三上部リンク軸３８及び下端部に設けられた第四上部リンク軸３９を中心に回動する。
【００６５】
第一リンクアーム３２及び第三リンクアーム３４は、上端部を屋外側に向けるように傾斜して、障子２が下端部を上端部よりも大きく屋外側に変位させて開く。
【００６６】
また、支持ブラケット４０では、第一支持アーム４３は、下端部に設けられた第一下部リンク軸４６及び上端部に設けられた第二下部リンク軸４７を中心に回動する。また、第二支持アーム４４は、上端部に設けられた第二下部リンク軸４７及び下端部に設けられた第三下部リンク軸４８を中心に回動する。障子２が開くにともない、第一支持アーム４３と第二支持アーム４４とは、下端部どうしを離間させるようにそれぞれ回動する。
【００６７】
次に、上記の横辷り出し窓１００のステー３０を縦枠１３に取り付ける施工方法について説明する。
まず、建築物の開口部Ｗに、四角形枠状に組み立てられた枠体１を不図示の螺子等により取り付ける。なお、枠体１の縦枠１３には、予め上部位置決め治具６０を螺子止めして取り付けておく。
【００６８】
次に、下部位置決め治具５０を枠体１の縦枠１３の取付部材1３０に螺子５１ｚで取り付ける。この際に、下部位置決め治具５０の取付部５１の上面５１ｕの位置が、後工程で固定されるステー３０のリンクベース３１の最下端部３１ｂの位置となるようにしておく。
【００６９】
次に、ステー３０を取り付けた障子２を建て込む。この際に、ステー３０のリンクベース３１の下端部を下部位置決め治具５０の挿入部５３ａ，５３ｂと縦枠１３の取付板部１３１との間の空間に挿入する。リンクベース３１の最下端部３１ｂを下部位置決め治具５０の取付部５１の上面５１ｕに支持させて、リンクベース３１の下端部を螺子３１ｚで縦枠１３の取付部材１３０に固定する。
【００７０】
この際に、リンクベース３１の最下端部３１ｂは取付部５１の上面５１ｕに点接触しているため、当接（接触）箇所を中心に、リンクベース３１を屋内外方向に回転させて位置調整がしやすい。
【００７１】
また、下部位置決め治具５０の挿入部５３ａ，５３ｂと縦枠１３の取付板部１３１との間の空間の左右方向の間隔は、リンクベース３１の下端部の板厚よりも僅かに大きい程度であるため、リンクベース３１の下端部は空間内で左右方向への移動が規制されている。また、当該空間の屋内外両側には下部位置決め治具５０の折曲部５４ａ，５４ｂが配置されているため、リンクベース３１の下端部は、屋内外方向への移動が規制されている。よって、リンクベース３１の下端部が左右方向及び屋内外方向に位置決めがされているため、螺子止め作業がしやすい。
【００７２】
次に、リンクベース３１の上部を、傾斜係止部６２に対して左右方向の中央側から端部側に押し込む。傾斜係止部６２は取付部材１３０の取付板部１３１に近接するように弾性変形して、リンクベース３１の上部が傾斜係止部６２を乗り越えて、取付部材１３０の取付板部１３１と傾斜係止部６２との間に挟まれる。そして、リンクベース３１の上部を螺子３１ｚで縦枠１３の取付部材１３０に固定する。
【００７３】
この際に、リンクベース３１の上部の屋外側の端部は、傾斜係止部６２と取付部材１３０の取付板部１３１との間に挟み込まれているため、リンクベース３１の上部は左右方向への移動が規制されている。また、リンクベース３１の上部の屋外側の端部は傾斜係止部６２に当接しているため、リンクベース３１の上部は屋外側への移動が規制されている。よって、リンクベース３１の上部が左右方向の位置決めがされるとともに、屋外側への移動が規制されているため、螺子止め作業がしやすい。
【００７４】
このように構成された横辷り出し窓１００では、障子２に取り付けられたステー３０を枠体１の縦枠１３の取付部材１３０に固定する際には、ステー３０のリンクベース３１の下端部を下部位置決め治具５０の取付部５１に支持させて、障子２の自重を下部位置決め治具５０に支持させる。また、下部位置決め治具５０の折曲部５４ａ，５４ｂはステー３０のリンクベース３１の屋内外方向への移動を規制するため、ステー３０のリンクベース３１の屋内外方向の位置決めがされる。よって、下部位置決め治具５０を使用すれば、障子２の自重は取付部５１に支持され、屋内外方向の位置は折曲部５４ａ，５４ｂで決まるため、作業性が良い。
【００７５】
また、縦枠１３の取付部材１３０の取付板部１３１と挿入部５３ａ，５３ｂとの間に形成された空間にステー３０のリンクベース３１の下端部を挿入することができる。よって、ステー３０のリンクベース３１は縦枠１３の取付部材１３０と挿入部５３ａ，５３ｂとの間で左右方向の中央側への移動が規制されるため、ステー３０のリンクベース３１の障子２側への傾倒が抑制される。
【００７６】
また、取付部５１はステー３０のリンクベース３１の最下端部３１ｂに点接触可能に構成されているため、当接接触箇所を中心にステー３０のリンクベース３１を屋内外方向に回転させることができる。よって、ステー３０のリンクベース３１の屋内外方向の位置決めがしやすく、作業性がさらに向上する。
【００７７】
また、上部位置決め治具６０の傾斜係止部６２はステー３０のリンクベース３１の屋外側への移動を規制するため、ステー３０のリンクベース３１の上部においてもステー３０のリンクベース３１の屋外側の位置決めがされ、作業性がさらに向上する。
【００７８】
（変形例）
次に、本発明の変形例に係る横辷り出し窓について、主に図９から図１３を用いて説明する。
図９は、本発明の一実施形態の変形例に係る横辷り出し窓の位置決め治具の下部位置決め治具を示す図である。図１０は、図９のＤ−Ｄ線断面図である。図１１は、図９のＥ−Ｅ線断面図である。
下記に示す変形例の説明において、前述した部材と同一の部材には同一の符号を付して、その説明を省略する。
【００７９】
本変形例では、図９から図１１に示すように、下部位置決め治具５０Ａは、取付部（下部支持部）１５１と、張出し部１５２と、挿入部（下部挿入部）１５３と、折曲部（下部規制部）１５４と、を有している。下部位置決め治具５０Ａは、縦枠１３の取付部材１３０において、ステー３０の下端部に対応する高さに取り付けられている。
【００８０】
取付部１５１は、縦枠１３の取付部材１３０の面１３１ａに沿って配置されている。取付部１５１は、板状に形成されている。取付部１５１は、板厚方向を左右方向に向けて配置されている。取付部１５１の上面１５１ｕは、平面状に形成されている。
【００８１】
取付部１５１には、板厚方向に貫通する取付孔１５１ｈが形成されている。取付孔１５１ｈに挿通された螺子１５１ｚは、取付部材１３０の取付板部１３１にねじ込まれている。
【００８２】
張出し部１５２は、取付部１５１の上端部に設けられている。張出し部１５２は、上方に向かうにしたがって次第に左右方向の中央側に向かうように形成されている。
【００８３】
挿入部１５３は、張出し部１５２の上端部から上方に延びている。挿入部１５３は、板状に形成されている。挿入部１５３は、板厚方向を左右方向に向けて配置されている。
【００８４】
挿入部１５３は、取付部材１３０の取付板部１３１よりも左右方向の中央側に配置されている。換言すると、取付板部１３１の左右方向の中央側（縦框２３側）を向く面１３１ａと挿入部１５３との間には、左右方向に空間が形成されている。
【００８５】
折曲部１５４は、挿入部１５３の屋内側の端部から左右方向の端部側に延びている。折曲部１５４は、板状に形成されている。折曲部１５４は、板厚方向を屋内外方向に向けて配置されている。
【００８６】
ステー３０のリンクベース３１の下端部は、下部位置決め治具５０Ａの挿入部１５３と取付板部１３１の面１３１ａとの間の空間に挿入されている。空間の左右方向の間隔は、リンクベース３１の下端部の板厚（左右方向の厚み）よりも僅かに大きい程度である。このため、リンクベース３１の下端部は、当該空間内で左右方向への移動が規制されている。
【００８７】
また、挿入部１５３と取付板部１３１の面１３１ａとの間の空間の屋内側には下部位置決め治具５０Ａの折曲部１５４が配置されている。このため、リンクベース３１の下端部は、屋内外方向への移動が規制されている。
【００８８】
また、リンクベース３１の最下端部１３１ｂは取付部１５１の上面１５１ｕに支持（載置）されていて、リンクベース３１の最下端部１３１ｂは取付部１５１の上面１５１ｕに点接触している。
【００８９】
図１２は、本変形例に係る上部位置決め治具を示す図である。図１３は、図１２のＦ−Ｆ線断面図である。
本変形例では、図１２及び図１３に示すように、上部位置決め治具６０Ａは、取付部１６１と、第一折曲部１６２と、上下部１６３と、第二折曲部１６４と、傾斜係止部（上部規制部）１６５と、を有している。上部位置決め治具６０Ａは、縦枠１３の取付部材１３０において、ステー３０の上部に対応する高さに取り付けられている。
【００９０】
取付部１６１は、縦枠１３の取付部材１３０の面１３１ａに沿って配置されている。取付部１６１は、ステー３０のリンクベース３１の上方に配置されている。取付部１６１は、板状に形成されている。取付部１６１は、板厚方向を左右方向に向けて配置されている。
【００９１】
取付部１６１には、板厚方向に貫通する取付孔１６１ｈが形成されている。取付孔１６１ｈに挿通された螺子１６１ｚは、取付部材１３０の取付板部１３１にねじ込まれている。
【００９２】
第一折曲部１６２は、取付部１６１の屋外側の端部から左右方向の端部側に延びている。上下部１６３は、第一折曲部１６２の屋外側の端部から下方に延びている。上下部１６３は、縦枠１３の見込み板部１４に沿って配置されている。第二折曲部１６４は、上下部１６３の下端部から左右方向の中央側に延びている。
【００９３】
傾斜係止部１６５は、第二折曲部１６４の左右方向の中央側の端部に設けられている。傾斜係止部１６５は、屋内側に向かうにしたがって次第に左右方向の中央側に向かうように形成されている。傾斜係止部１６５は、左右方向に弾性変形可能とされている。
【００９４】
ステー３０のリンクベース３１の上部の屋外側の端部は、傾斜係止部１６５と取付部材１３０の取付板部１３１との間に挟み込まれている。このため、リンクベース３１の上部は、左右方向への移動が規制されている。
【００９５】
また、ステー３０のリンクベース３１の上部の屋外側の端部は、傾斜係止部１６５に当接している。このため、リンクベース３１の上部は、屋外側への移動が規制されている。
【００９６】
このように構成された横辷り出し窓１００では、障子２に取り付けられたステー３０を枠体１の縦枠１３に取り付ける際には、ステー３０のリンクベース３１の下端部を下部位置決め治具５０Ａの取付部１５１に支持させて、障子２の自重を下部位置決め治具５０Ａに支持させる。また、下部位置決め治具５０Ａの折曲部１５４はステー３０のリンクベース３１の屋内側への移動を規制するため、ステー３０のリンクベース３１の屋内側の位置決めがされる。よって、下部位置決め治具５０Ａを使用すれば、障子２の自重は取付部１６１に支持され、屋内側の位置は折曲部１５４で決まるため、作業性が良い。
【００９７】
また、上部位置決め治具６０Ａの傾斜係止部１６５はステー３０のリンクベース３１の屋外側への移動を規制するため、ステー３０のリンクベース３１の上部においてもステー３０のリンクベース３１の屋外側の位置決めがされ、作業性がさらに向上する。
【００９８】
なお、上述した実施の形態において示した各構成部材の諸形状や組み合わせ等は一例であって、本発明の主旨から逸脱しない範囲において設計要求等に基づき種々変更可能である。
【００９９】
例えば、上記に示す実施形態では、上部位置決め治具６０を備えているが、本発明はこれに限られず、少なくとも下部位置決め治具を備えていれば、上部位置決め治具を備えていなくてもよい。
【０１００】
また、上記に示す実施形態では、下部位置決め治具５０はステー３０の屋内外方向の両側への移動を規制し、変形例では、下部位置決め治具５０はステー３０の屋内側への移動を規制しているが、本発明はこれに限られない。下部位置決め治具が、ステーの屋内外方向の少なくとも一方への移動を規制すればよく、ステーの屋外側への移動を規制する構成であってもよい。
【０１０１】
また、上記に示す実施形態では、下部位置決め治具５０は、縦枠１３の取付部材１３０との間でステー３０の下端部を挿入可能な挿入部５３ａ，５３ｂを有しているが、本発明はこれに限られない。下部位置決め治具５０は下部支持部と下部規制部とを備えていれば、挿入部５３ａ，５３ｂを備えていなくてもよい。
【０１０２】
また、上記に示す実施形態では、下部位置決め治具５０の取付部５１はステー３０の下端部に点接触可能とされているが、本発明はこれに限られない。例えば、ステーの下端部は平面状に形成されていて、下部支持部がステーの下端部と面接触する構成であってもよい。
【０１０３】
また、上記に示す実施形態では、ステー３０のリンクベース３１の最下端部３１ｂは円弧状をなし取付部５１の上面５１ｕは平面状に形成されて、互いに点接触可能に構成されているが、本発明はこれに限られない。ステーの最下端部が平面状に形成され、下部支持部の上端部が円弧状をなして、互いに点接触可能に構成されていてもよい。
【符号の説明】
【０１０４】
１…枠体
２…障子
１１…上枠
１２…下枠
１３…縦枠
１４…見込み板部
２０…框体
２１…上框
２２…下框
２３…縦框
２５…レバー
２９…ガラス
３０…ステー
３１…リンクベース
３２…第一リンクアーム
３３…第二リンクアーム
３４…第三リンクアーム
３６…第一上部リンク軸
３７…第二上部リンク軸
３８…第三上部リンク軸
３９…第四上部リンク軸
４０…支持ブラケット
４１…枠ベース
４２…框ベース
４３…第一支持アーム
４４…第二支持アーム
４６…第一下部リンク軸
４７…第二下部リンク軸
４８…第三下部リンク軸
５０…下部位置決め治具
５１…取付部（下部支持部）
５１ｕ…上面
５２ａ，５２ｂ…張出し部
５３ａ，５３ｂ…挿入部（下部挿入部）
５４ａ，５４ｂ…折曲部（下部規制部）
６０…上部位置決め治具
６１…裏板部
６２…傾斜係止部（上部規制部）
６３…裏突出部
１００…横辷り出し窓
１３０…取付部材
１３１…取付板部
Ｗ…開口部
【図１】
2019167718.tif 000003
【図２】
2019167718.tif 000004
【図３】
2019167718.tif 000005
【図４】
2019167718.tif 000006
【図５】
2019167718.tif 000007
【図６】
2019167718.tif 000008
【図７】
2019167718.tif 000009
【図８】
2019167718.tif 000010
【図９】
2019167718.tif 000011
【図１０】
2019167718.tif 000012
【図１１】
2019167718.tif 000013
【図１２】
2019167718.tif 000014
【図１３】
2019167718.tif 000015